(57)【要約】  【課題】  洗浄便座に給水される洗浄水を浄水に変える洗浄部材が充填された容器をトイレに導入するにしても給水用止水栓に取り付けるような構成をとらずに、現状のトイレ空間を維持できるよう、洗浄便座に給水する給水ホースに取り付けてなる洗浄便座用ホースを提供すること。  【解決手段】  洗浄便座用ホース１は、給水部へ給水を行う給水ホース３に、浄水部材４’が充填された容器４を着脱自在に内蔵させてなる。【選択図】      図１
2008038430.tif 000002
【特許請求の範囲】
【請求項１】
給水部へ給水を行う給水ホースに、浄水部材が充填された容器を着脱自在に内蔵させてなることを特徴とする洗浄便座用ホース。
【請求項２】
前記給水ホースは、合成樹脂製の可撓管よりなる給水ホース本体と、給水ホース本体の上流端にかしめにより連結された接続管とを有し、上流端が給水配管側に接続され下流端が前記接続管に接続される被接続部材を設け、前記接続管の管端と前記被接続部材との両方にそれぞれフランジを設けるとともに、前記フランジ同士を当接させた状態で、両フランジの一部を、開口部を介して長孔へ挿入して前記被接続部材に対して前記接続管を抜け止め保持する簡易接続部材を設ける一方、前記被接続部材には、前記簡易接続部材を取り外して前記被接続部材から前記接続管が取り外されたときに、前記給水配管側からの水の流出を遮断する遮断弁が内蔵されている請求項１に記載の洗浄便座用ホース。
【請求項３】
前記容器は、浄水部材がそれぞれに充填された複数の筒状容器部分を連結部材を介して直列に連結させてなり、前記各連結部材は隣接する容器部分同士を回動自在に連結するよう構成されており、また、前記連結部材は、隣接する容器部分の浄水部材充填空間同士を連通させて最上流側の容器部分の流入口から最下流側の容器部分の流出口に至る浄水流路部分を形成する連通孔を有し、最上流側の容器部分を前記接続管に位置させた状態で残りの容器部分が給水ホース本体内に挿入されるよう構成されており、さらに、最上流側の容器部分の流入面に、容器交換用のピンが接続可能な接続孔を設けてある請求項１または２に記載の洗浄便座用ホース。
【請求項４】
前記容器は、浄水部材がそれぞれに充填された複数の筒状容器部分を連結部材を介して直列に連結させてなり、前記各連結部材は隣接する容器部分同士を回動自在に連結するよう構成されており、また、最上流側の容器部分を前記接続管に位置させた状態で残りの容器部分が給水ホース本体内に挿入されるよう構成されるとともに、最上流側の容器部分の流入面に、容器交換用のピンが接続可能な接続孔を設けてあり、さらに、給水ホース本体内に挿入される前記残りの容器部分のうち少なくとも二つは、給水ホース本体内面に沿うよう挿入される周面に、最上流側の容器部分の流出口から流出口を通り、給水ホース本体内面および前記周面間に形成される隙間を経て容器部分の浄水部材充填空間に至らしめ、さらに、当該浄水部材充填空間から再度前記隙間を通ることを順次繰り返して下流に至る浄水流路部分を形成するスリットを有する請求項１または２に記載の洗浄便座用ホース。
【請求項５】
前記容器は、浄水部材がそれぞれに充填された大径の筒状容器部分と小径の筒状容器部分とが一体に成形されてなり、上流側の前記大径の筒状容器部分を前記接続管に位置させた状態で前記小径の筒状容器部分が給水ホース本体内に挿入されるよう構成されているとともに、前記大径の筒状容器部分の流入面に、容器交換用のピンが接続可能な接続孔を設け、さらに、前記大径の筒状容器部分は、その浄水部材充填空間と前記小径の筒状容器部分の浄水部材充填空間を連通させて前記大径の筒状容器部分の流出口から流出口を通り、前記小径の筒状容器部分の浄水部材充填空間から前記小径の筒状容器部分の流出口に至る浄水流路部分を形成する連通孔を下面部に有する請求項１または２に記載の洗浄便座用ホース。
【発明の詳細な説明】
【技術分野】
【０００１】
この発明は、例えば洗浄便座の給水部への給水を行うための洗浄便座用ホースに関するものである。
【背景技術】
【０００２】
近年、排泄後などに洗浄水によって局部を洗浄する洗浄装置を備えた局部洗浄用便座が普及しており、前記洗浄用便座の給水部に給水する可撓性の給水ホースがその上流側において給水用止水栓に接続されている。そして、前記止水栓に例えば残留塩素を除去する洗浄部材が充填された容器を着脱自在に取り付け、利用者の操作によって開かれた前記止水栓を通って残留塩素が除去された洗浄水（浄水）を前記給水ホースを介して下流側の前記洗浄用便座の給水部へ供給するようにし、交換時には容器ごと交換できるように構成されたものがある。
【発明の開示】
【発明が解決しようとする課題】
【０００３】
しかしながら、洗浄装置で既にトイレ空間が狭小になっている上に、前記止水栓に洗浄部材充填容器を取り付けることになると、前記止水栓回りは見栄えが悪く煩雑になるとともに、壁面からの前出しが前記止水栓だけの場合に比べて一層顕著になって狭いトイレには適さないおそれがある。
【０００４】
この発明は、洗浄便座に給水される洗浄水を浄水に変える洗浄部材が充填された容器をトイレに導入するにしても給水用止水栓に取り付けるような構成をとらずに、現状のトイレ空間を維持できるよう、洗浄便座に給水する給水ホースに取り付けてなる洗浄便座用ホースを提供することを目的とする。
【課題を解決するための手段】
【０００５】
上記目的を達成するために、この発明の洗浄便座用ホースは、洗浄のため便座に設けた給水部へ給水を行う給水ホースに、浄水部材が充填された容器を着脱自在に内蔵させてなることを特徴としている。
【発明の効果】
【０００６】
この発明では、洗浄便座に給水される洗浄水を浄水に変える洗浄部材が充填された容器をトイレに導入するにあたり、洗浄のため便座に設けた給水部へ給水を行う給水ホースに、浄水部材充填容器を内蔵させたので、給水用止水栓回りを、トイレ空間を狭める原因になっていた洗浄部材充填容器を取り付ける前のスッキリした状態にしながら、現状のトイレ空間を狭めることなく維持できる。
【発明を実施するための最良の形態】
【０００７】
以下、この発明の実施の形態を、図を参照しながら説明する。なお、それによってこの発明は限定されるものではない。
【０００８】
図１〜３は、給水ホースに挿入された浄水部材充填容器内に浄水流路の一部を形成してなるこの発明の第１の実施の形態を示す。
図１〜３において、１は、洗浄便座用ホースで、洗浄のため例えば局部洗浄用温水便座２に設けた給水部へ給水を行う給水ホース３に、浄水部材が充填された容器４を着脱自在に内蔵させてなる。浄水部材としては、例えば亜硫酸カルシウム等の残留塩素を除去するとともに、脱臭機能を有する粒状の活性炭、あるいは、濁りの原因となる細菌やカビ等の微生物や、赤錆、泥等の物質を除去するためのフィルタ等を挙げることができるが、これらに限られるものではない。４’は、多数の例えば粒状の浄化錠剤を充填してなる充填物（以下、単に浄化部材という）を示す。
前記給水ホース３は、給水ホース本体５と、給水ホース本体５の上流端にかしめにより連結された接続管６とを有している。７は、上流端が給水配管側に接続され下流端が前記接続管６に接続される被接続部材７である。そして、前記接続管６の管端と前記被接続部材７との両方にそれぞれフランジ８，９を設けるとともに、前記フランジ８，９同士を当接させた状態で、両フランジ８，９の一部を、開口部１０を介して長孔１１へ挿入して前記被接続部材７に対して前記接続管６を抜け止め保持するクリップ（簡易接続部材の一例）１２が設けられている。一方、前記被接続部材７には、クリップ１２を取り外して前記被接続部材７から前記接続管６が取り外されたときに、前記給水配管側からの水の流出を遮断する遮断弁１３が内蔵されている。
【０００９】
前記給水ホース本体５は、例えば合成樹脂からなる可撓管であり、その外側面を例えばステンレス製の網体によって耐圧保護している。５ａはこの給水ホース本体５の上流端に嵌合される金属からなるリングであり、接続管６の下流端に給水ホース本体５を挿入した状態でこのリング５ａをかしめることにより、接続管６と給水ホース本体５との接続を強固にしている。前記接続管６は例えば真鍮からなるパイプ材を例えばプレス加工することにより形成されている。すなわち、接続管６の下流側の外周には前記給水ホース本体５の抜け止め用の波状部分６ａを形成し、上流側の端部にはフランジ８と内径拡大部分８ｃとを形成している。被接続部材７は例えば真鍮からなる棒材を旋盤加工などにより切削して形成しており、その内部には遮断弁１３を挿入するための室１３ａを形成し、上流端側には給水用止水栓１４に接続する雌ねじ１４ａを形成している。２０は、給水配管で、前記止水栓１４が接続されている。また、被接続部材７の下流端側の接続部分７ｃは前記内径拡大部分８ｃの内径に挿入できる外径を有するとともに、この接続部分７ｃの外周にはＯリング７ｄを埋設している。そして、前記Ｏリング７ｄより内側の管には前記フランジ９を形成している。また、前記クリップ１２は、一枚の帯状の金属部材を折曲形成してなり、挿通部１５と、前記開口部１０と、一対の前記長孔１１とを有している。そして、全体として弾性を有している。１６は、温水洗浄装置で、局部洗浄用温水便座２に設けられている。１７は、水栓便器Ａの貯水タンクである。この実施の形態では貯水タンク１７への給水は図示しない給水配管を介して行われるが、給水配管２０から分岐して貯水タンク１７への給水と温水洗浄装置１６への給水を行うようにしてもよい。
【００１０】
以下、特徴的構成について説明する。
前記容器４は、浄水部材４’がそれぞれに充填された複数の硬質合成樹脂製の筒状容器部分４ａ〜４ｄを連結部材２１を介して直列に連結させてなり、前記各連結部材２１は隣接する容器部分４ａ，４ｂ、４ｂ，４ｃ、４ｃ，４ｄ同士を回動自在に連結するよう構成されている。筒状容器部分４ｂ，４Ｃは、それぞれ上面中央部および下面中央部に連結部材２１の接続孔ａ，ｂを有するとともに、最上流側の容器部分４ａは、上面中央部に容器交換用の外ねじピン３０が螺合する内ねじ３１を有するとともに、この内ねじ３１の周囲で複数の円弧状の長孔よりなる流入口２２を円周上に有し、また、下面中央部に連結部材２１の接続孔ｂを有する。また、最下流側の容器部分４ｄは、上面中央部に連結部材２１の接続孔ａを有するとともに、下面に複数の流出孔２３を有する。さらに、前記連結部材２１は、隣接する容器部分４ａ，４ｂ、４ｂ，４ｃ、４ｃ，４ｄの浄水部材充填空間Ｓ同士を連通させて最上流側の容器部分４ａの流入口２２から最下流側の容器部分４ｄの流出孔２３に至る上流側の浄水流路部分ｍを形成する連通孔２４を有している。そして、容器４は、Ｏリング３３を介して最上流側の容器部分４ａを前記接続管６に位置させた状態で残りの容器部分４ｂ、４ｃ、４ｄが給水ホース本体５内に遊嵌可能に挿入される。挿入状態では、前記容器部分４ｂ〜４ｄは給水ホース本体５内面の上流側に位置している。ｎは、流出孔２３から流出した浄水の下流側の流路部分である。流出孔２３から流出した浄水は給水ホース本体５内面の下流側を流れて洗浄用温水便座２に設けた給水部に至る。
【００１１】
而して、容器４交換時には、図３（Ａ）に示すように、クリップ１２を取り外して前記被接続部材７から前記接続管６が取り外され、図３（Ｂ）に示すように、外ねじピン３０を内ねじ３１に螺合させることにより、外ねじピン３０を保持しながら容器４を直線状にした給水ホース３から取り出すことができる。そして、外ねじピン３０を保持した状態で、新しい容器４を接続管６側から給水ホース本体５内に挿入し、フランジ９，８を介して前記被接続部材７に前記接続管６を接続し、クリップ１２にて、両フランジ８，９の一部を開口部１０を介して長孔１１へ挿入することで前記被接続部材７に対して前記接続管６を抜け止め保持することができ、容器４交換時のメンテナンスを容易に行うことができる。新しい容器４の挿入後は、外ねじピン３０を取り外し、図３（Ａ）に示すように、被接続部材７に接続管６を接続する。このように、給水ホース３を直線状にした状態で、外ねじピン３０を保持しながら給水ホース３に容器部分４ｄ側から容器４を装填するだけの容易な装填作業で給水ホース３内に容器４を装填することができるとともに、使用時には、図１に示すように、給水ホース本体５は屈曲状態となるが、容器４を複数個に分割して設けるとともに、連結部材２１により、隣接する容器部分４ａ，４ｂ、４ｂ，４ｃ、４ｃ，４ｄ同士は回動自在に連結されており、連結部材２１を介して給水ホース本体５の屈曲に応じて容器部分４ｂ，４ｃ，４ｄは変形することができるので、給水ホース本体５の屈曲性を長期に渡り妨げることはない。
また、多数の例えば粒状の浄化錠剤よりなる浄化部材４’を一つの長尺な容器に充填して使用する場合に比べて、短尺な容器部分４ａ，４ｂ，４ｃ，４ｄに分割しているので、個々の浄化錠剤の接触面積を向上させることができ、むらのない安定した浄化効果を実現できる。
【００１２】
図４は、給水ホースに挿入された浄水部材充填容器内と、給水ホース本体の内面および容器部分の周面間とに浄水流路の一部を形成してなるこの発明の第２の実施の形態を示す。図４において、図１〜３に示した符号と同一のものは同一または相当物である。
容器４は、浄水部材がそれぞれに充填された複数の筒状容器部分４ａ，４ｂ，４ｃ，４ｄを連結部材２４’を介して直列に連結させてなり、前記各連結部材２４’は隣接する容器部分４ａ，４ｂ、４ｂ，４ｃ、４ｃ，４ｄ同士を回動自在に連結するよう構成されている。また、最上流側の容器部分４ａを前記接続管６に位置させた状態で残りの容器部分４ｂ，４ｃ，４ｄが給水ホース本体５内に挿入されるよう構成されている。そして、最上流側の容器部分４ａの上面に、容器交換用のピンが接続可能な接続孔３１を設けてあり、さらに、給水ホース本体５内に挿入される前記残りの容器部分４ｂ，４ｃ，４ｄのうち、容器部分４ｂおよび４ｄは、給水ホース本体５の内面５ａに沿うよう挿入されるそれぞれの周面ｋに、浄水流路部分ｍ’を形成する縦長の複数のスリット４１ａおよび４１ｂをそれぞれ有している。すなわち、最上流側の容器部分４ａの流出口２３から給水ホース本体内面５ａおよび容器部分４ｂの周面ｋ間に形成される隙間４０を経て前記スリット４１ａから容器部分４ｂの浄水部材充填空間Ｓに至り、さらに、当該浄水剤充填空間Ｓから再度前記スリット４１を介して前記隙間４０を通り隣接する容器部分４ｃの流入口２２を介して容器部分４ｃの浄水部材充填空間Ｓに至り、さらに、当該浄水剤充填空間Ｓから容器部分４ｃの流出口２３を通って前記隙間４０に至り、この隙間４０から隣接する容器部分４ｄのスリット４１ｂを介して浄水部材充填空間Ｓに至り、さらに、当該浄水剤充填空間Ｓから再度前記スリット４１ｂを介して前記隙間４０を通り最終的に下流に至る浄水流路部分ｍ’を形成する。
【００１３】
図５は、浄水部材がそれぞれに充填された大径の筒状容器部分と小径の筒状容器部分とが一体に成形されてなる容器を備えたこの発明の第３の実施の形態を示す。図５において、図１〜４に示した符号と同一のものは同一または相当物である。
図５において、容器４は、浄水部材４’がそれぞれに充填された大径の筒状容器部分４ａおよび小径の筒状容器部分４ｅが一体に成形されてなり、上流側の前記大径の筒状容器部分４ａを前記接続管６に位置させた状態で前記小径の筒状容器部分４ｅが給水ホース本体５内に挿入されるよう構成されているとともに、前記大径の筒状容器部分４ａの流入面に、容器交換用のピンが接続可能な接続孔３１を設け、さらに、前記大径の筒状容器部分４ａは、その浄水部材充填空間Ｓと前記小径容器部分４ｅの浄水部材充填空間Ｓを連通させて前記大径の筒状容器部分４ａの流入口２２から前記小径容器部分４ｅの浄水部材充填空間Ｓを介して前記小径容器部分４ｅの流出口２３に至る浄水流路部分ｍ’’を形成する連通孔５５を有する。
【００１４】
なお、この実施の形態では、温水を使用する便座を示したが、この発明は、水を使用する便座にも適用できる。
【図面の簡単な説明】
【００１５】
【図１】この発明の第１の実施の形態における使用状態を示すとともに、要部箇所を拡大して示す斜視図である。
【図２】上記実施の形態における構成説明図である。
【図３】（Ａ）は、上記実施の形態における接続管の被接続部材への接続動作を説明するための構成説明である。（Ｂ）は、上記実施の形態における容器の装填動作を示す構成説明図である。
【図４】この発明の第２の実施の形態における構成説明図である。
【図５】この発明の第３の実施の形態における構成説明図である。
【符号の説明】
【００１６】
１          洗浄便座用ホース
２          便座
４          容器
４’        浄水部材
５          給水ホース
【図１】
2008038430.tif 000003
【図２】
2008038430.tif 000004
【図３】
2008038430.tif 000005
【図４】
2008038430.tif 000006
【図５】
2008038430.tif 000007